(57)【要約】【課題】アンテナを搭載した第１基板とこれとは異なる第２基板をケース内に収容してなる非接触通信端末に関して、より組み付け作業を行いやすい構造を実現する。【解決手段】非接触通信装置１は、アンテナ２を搭載した第１基板４とこれとは異なる第２基板５とを収容する収容ケース１０が設けられており、第１基板４を保持する上方側ケース体１１の上方側底壁部１３に当該上方側底壁部１３の厚さ方向に連通する連通孔１３ａが形成されている。さらに、ケーブル７は、連通孔１３ａ内に挿し通されると共に、一端側が第１基板４に接続され、他端側が第２基板５に接続される構成で配置されている。そして、上方側底壁部１３の下面側には、連通孔１３ａの内壁に連続する形態又は連通孔１３ａの内壁に隣接する形態で連通孔１３ａの下方に延びる案内壁３１を備えたガイド部３０が設けられている。【選択図】図２
2013050808.tif 000002
【特許請求の範囲】
【請求項１】
アンテナを搭載すると共に、一方面が上方側に面し他方面が下方側に面するように配置される第１基板と、
前記第１基板の下方に配置され、一方面が上方側に面し他方面が下方側に面するように配置される第２基板と、
前記第１基板を収容すると共に前記第１基板の下方面側に対向する上方側底壁部を備えた上方側ケース体と、前記上方側ケース体の下方に取り付けられ、前記第２基板を収容すると共に前記第２基板の下方側に対向する下方側底壁部を備えた下方側ケース体と、前記第１基板を覆う被覆板と、を備えた収容ケースと、
前記第１基板と前記第２基板とを接続するケーブルと、
を備え、
前記上方側ケース体の前記上方側底壁部には当該上方側底壁部の厚さ方向に連通する連通孔が形成され、
前記ケーブルは、前記連通孔内に挿し通されると共に、一端側が前記第１基板に接続され、他端側が前記第２基板に接続される構成で配置されており、
前記上方側底壁部の下面側には、前記連通孔の内壁に連続する形態又は前記連通孔の前記内壁に隣接する形態で前記連通孔の下方に延びる案内壁を備えたガイド部が設けられていることを特徴とする非接触通信端末。
【請求項２】
前記ガイド部は、前記案内壁と、前記案内壁の幅方向両側において上下に延びるように配される一対の側壁と、前記案内壁と対向して配置される対向壁とを備えると共に、前記案内壁と前記一対の側壁と前記対向壁とによって案内孔が構成され、前記案内孔が前記連通孔と連通しており、
前記案内壁及び前記一対の側壁は、いずれも下端部が前記対向壁の下端部よりも下方位置となるように前記対向壁よりも上下に長く構成され、前記案内孔は、前記案内壁及び前記一対の側壁の下端部よりも下方側に開放すると共に、前記対向壁の下端部よりも下方側において前記一対の側壁の間が開放していることを特徴とする請求項１に記載の非接触通信端末。
【請求項３】
前記第２基板の上面側には、前記ケーブルを当該第２基板に接続する接続部が設けられており、
前記案内壁の下端部は、前記上方側底壁部と前記第２基板との間において前記接続部寄りに設けられていることを特徴とする請求項１又は請求項２に記載の非接触通信端末。
【請求項４】
前記上方側底壁部は、非透明部材によって構成されていることを特徴とする請求項１から請求項３のいずれか一項に記載の非接触通信端末。
【請求項５】
前記ガイド部は、非透明部材によって構成されていることを特徴とする請求項４に記載の非接触通信端末。
【請求項６】
前記第２基板には、前記アンテナに電気的に接続される制御回路が搭載されていることを特徴とする請求項１から請求項５のいずれか一項に記載の非接触通信端末。
【請求項７】
前記下方側ケース体は、前記第２基板の厚さ方向を上下方向としたときの当該上下方向と直交する所定方向において第１側壁部と第２側壁部とが対向して配置され、これら側壁部の下端部側に前記下方側底壁部が連結されており、
前記第２基板の上面側には、前記所定方向における前記第１側壁部側に寄った位置に前記ケーブルを前記第２基板に接続する接続する接続部が設けられ、
前記案内壁は、前記所定方向において前記連通孔よりも前記第２側壁部側に配置されていることを特徴とする請求項１から請求項６のいずれか一項に記載の非接触通信端末。
【請求項８】
前記下方側ケース体は、前記第２基板の厚さ方向を上下方向としたときの当該上下方向と直交する所定方向において第１側壁部と第２側壁部とが対向して配置され、これら側壁部の下方側に前記下方側底壁部が連結されており、
前記第２基板の上面側には、前記所定方向における前記第１側壁部側に寄った位置に前記ケーブルを前記第２基板に接続する接続する接続部が設けられ、
前記接続部は、前記第２基板の上面側から上方に突出するように固定されると共に上方側に開口するように形成され、且つ前記ケーブルが上方側から開口内に挿し込まれるように構成されるコネクタからなり、
前記コネクタには、当該コネクタの開口内に前記ケーブルが挿し込まれたときに前記ケーブルよりも前記第２側壁部側において前記コネクタの内壁と前記ケーブルとの間に上方側から押し込まれる固定部材が装着されるようになっており、
前記案内壁は、前記所定方向において前記連通孔よりも前記第２側壁部側に配置されていることを特徴とする請求項１から請求項７のいずれか一項に記載の非接触通信端末。
【請求項９】
アンテナを搭載する第１基板と、前記第１基板とは異なる第２基板と、前記第１基板と前記第２基板とを接続するケーブルとを収容する収容ケースを備えた非接触通信端末における組付構造であって、
前記収容ケースには、
前記第１基板の一方面を上方側とし他方面を下方側とするように当該第１基板を支持する上方側底壁部を備えた上方側ケース体と、
前記第２基板の一方面側を上方側とし他方面側を下方側とするように当該第２基板を支持する下方側底壁部を備えた下方側ケース体と、
が設けられ、
前記上方側ケース体の前記上方側底壁部には当該上方側底壁部の厚さ方向に連通する連通孔が形成され、
前記上方側底壁部の下面側には、前記連通孔の内壁に連続する形態又は前記連通孔の前記内壁に隣接する形態で前記連通孔の下方に延びる案内壁を備えたガイド部が設けられており、
前記下方側ケース体に前記第２基板を収容すると共に前記第２基板の基板面に前記ケーブルの一端側を接続し他端側を非接続とした状態で前記上方側ケース体を前記下方側ケース体に組み付ける際に、非接続とされた前記ケーブルの他端側を前記案内壁に沿って前記連通孔内に案内し、前記連通孔内に挿し通された当該他端側を前記第１基板に接続するように組付け可能とされていることを特徴とする非接触通信端末の組付構造。
【発明の詳細な説明】
【技術分野】
【０００１】
本発明は、非接触通信端末及び非接触通信端末の組付構造に関するものである。
【背景技術】
【０００２】
ＩＣカードリーダ等の非接触通信装置では、一般的にアンテナの一方面側が化粧板（被覆板）などによって覆われており、例えば、ユーザがこの化粧板に接近させるようにＩＣカードなどの非接触通信媒体を翳したときに、この非接触通信媒体とケース内に設けられたアンテナとの間で電磁波を媒介とした非接触通信を行い、読み取りや書き込みなどを行っている。この種の装置では、アンテナを基板上で保持する構成が一般的であり、例えばアンテナを搭載した基板をケース内に収容すると共にこの基板の一方面側を上記化粧板によって覆うように構成することで、化粧板付近に通信エリアを構成することができる。
【先行技術文献】
【特許文献】
【０００３】
【特許文献１】特開２００９−９４９０１公報
【発明の概要】
【発明が解決しようとする課題】
【０００４】
ところで、上記のようにアンテナを搭載した基板をケース内に収容した構成のものでは、アンテナを搭載する基板とは異なる基板を並列に配置すべき場合も多い。例えば、アンテナを搭載した第１基板とは別で制御回路等の電子部品を実装した第２基板を設け、この第２基板を第１基板からある程度離して配置しておけば、電子部品がアンテナに及ぼす影響を抑えることができ、通信性をより高めやすくなる。
【０００５】
このようにアンテナを搭載した第１基板と他の第２基板をケース内に収容する場合、第１基板については、上方の化粧板（被覆板）付近に配置することで通信性を高めることができ、第２基板については、ケース下方側の深い位置に配置することでセキュリティ性を高めることができる。このように構成するためには、図７のように、ケース１１０を上方側のケース体１１１と下方側のケース体１１２とに分割し、図８のように下方側ケース体１１２の内部に第２基板１０５を収容すると共にこの下方側ケース体１１２の上方を上方側ケース体１１１で閉塞するように構成し、更に上方側ケース体１１１の上方側でアンテナ１０２を搭載した第１基板１０４を保持するように構成すると良い。このように構成し、第１基板１０４の上方を被覆板１２０（化粧板）で閉塞するようにすれば、アンテナ１０２を搭載した第１基板１０４をより化粧板に近い位置で安定的に保持することができ、第２基板１０５については、下方側ケース体１１２の内部において、上方側ケース体１１１によって閉塞した状態で保持しておくことができる。
【０００６】
更に、図８の構成では、下方側の第２基板１０５に接続されたケーブル１０７が上方側ケース体１１１の底壁部１１３に形成された連通孔１１３ａ及び第１基板１０４に形成された貫通孔１０４ａを介して上方側に引き回されており、ケーブル１０７の他端側が上方側ケース体１１１に保持された第１基板１０４に接続されている。このように構成すると、第１基板１０４と第２基板１０５をある程度離して配置してアンテナ１０２への第２基板１０５の影響を抑えつつ、ケーブル１０７をより短く効率的に配置することができるようになる。
【０００７】
しかしながら、図８の構成は、組み付けを行いにくいという問題を抱えている。
例えば、図８のように構成する場合、まず図７の下部のように下方側ケース体１１２の内部にケーブル１０７の一端側を接続した第２基板１０５を収容しておき、この状態で、ケーブル１０７の他端側を連通孔１１３ａ内に挿し通しつつ上方側ケース体１１１を下方側ケース体に組み付けることになる。しかしながら、このように組み付ける場合、上方側ケース体１１１の連通孔１１３ａ内にケーブル１０７を挿し通しにくく、組み付け作業を行いにくいという問題があった。特に、図７のように上方側ケース体１１１の連通孔１１３ａ内にケーブル１０７を挿し通すときに、上方側ケース体１１１の上側からは連通孔１１３ａとケーブル１０７の先端部との位置関係が視認しにくく、ケーブル１０７の先端部を孔内に挿し込む作業に手間取る場合があった。そして、このような問題は、ケーブル自体が撓みやすい構造であったり、第２基板１０５に設けられたコネクタ（ケーブル１０７の一端側を第２基板１０５に接続するためのコネクタ）の特性上、ケーブル１０７が一方側に傾きやすい構造となっているときなどに顕著となっていた。
【０００８】
本発明は、上述した課題を解決するためになされたものであり、アンテナを搭載した第１基板とこれとは異なる第２基板をケース内に収容してなる非接触通信端末に関して、より組み付け作業を行いやすい構造を実現することを目的とする。
【課題を解決するための手段】
【０００９】
上述した課題を解決するため、本願の第１の発明は、
アンテナを搭載すると共に、一方面が上方側に面し他方面が下方側に面するように配置される第１基板と、
前記第１基板の下方に配置され、一方面が上方側に面し他方面が下方側に面するように配置される第２基板と、
前記第１基板を収容すると共に前記第１基板の下方面側に対向する上方側底壁部を備えた上方側ケース体と、前記上方側ケース体の下方に取り付けられ、前記第２基板を収容すると共に前記第２基板の下方側に対向する下方側底壁部を備えた下方側ケース体と、前記第１基板を覆う被覆板と、を備えた収容ケースと、
前記第１基板と前記第２基板とを接続するケーブルと、
を備え、
前記上方側ケース体の前記上方側底壁部には当該上方側底壁部の厚さ方向に連通する連通孔が形成され、
前記ケーブルは、前記連通孔内に挿し通されると共に、一端側が前記第１基板に接続され、他端側が前記第２基板に接続される構成で配置されており、
前記上方側底壁部の下面側には、前記連通孔の内壁に連続する形態又は前記連通孔の前記内壁に隣接する形態で前記連通孔の下方に延びる案内壁を備えたガイド部が設けられていることを特徴とする。
【００１０】
また、本願の第２の発明は、
アンテナを搭載する第１基板と、前記第１基板とは異なる第２基板と、前記第１基板と前記第２基板とを接続するケーブルとを収容する収容ケースを備えた非接触通信端末における組付構造であって、
前記収容ケースには、
前記第１基板の一方面を上方側とし他方面を下方側とするように当該第１基板を支持する上方側底壁部を備えた上方側ケース体と、
前記第２基板の一方面側を上方側とし他方面側を下方側とするように当該第２基板を支持する下方側底壁部を備えた下方側ケース体と、
が設けられ、
前記上方側ケース体の前記上方側底壁部には当該上方側底壁部の厚さ方向に連通する連通孔が形成され、
前記上方側底壁部の下面側には、前記連通孔の内壁に連続する形態又は前記連通孔の前記内壁に隣接する形態で前記連通孔の下方に延びる案内壁を備えたガイド部が設けられており、
前記下方側ケース体に前記第２基板を収容すると共に前記第２基板の基板面に前記ケーブルの一端側を接続し他端側を非接続とした状態で前記上方側ケース体を前記下方側ケース体に組み付ける際に、非接続とされた前記ケーブルの他端側を前記案内壁に沿って前記連通孔内に案内し、前記連通孔内に挿し通された当該他端側を前記第１基板に接続するように組付け可能とされていることを特徴とする。
【発明の効果】
【００１１】
請求項１の発明では、アンテナを搭載した第１基板と、これとは異なる第２基板とを収容ケース内に収容してなる非接触通信端末において、第１基板を保持する上方側ケース体の上方側底壁部に当該上方側底壁部の厚さ方向に連通する連通孔が形成されている。さらに、ケーブルは、連通孔内に挿し通されると共に、一端側が第１基板に接続され、他端側が第２基板に接続される構成で配置されている。そして、上方側底壁部の下面側には、連通孔の内壁に連続する形態又は連通孔の内壁に隣接する形態で連通孔の下方に延びる案内壁を備えたガイド部が設けられている。
このように構成されているため、製造時やメンテナンス時などにおいて、基板や各ケース体を組付ける際に、ケーブルの他端側が接続された第２基板を下方側ケース体に収容した状態で、この下方側ケース体を閉塞するように第１基板を保持する上方側ケース体を組み付けることができ、その組み付けの際には、第２基板に他端側が接続されたケーブルを、先端側（一端側）から上方側底壁部の連通孔内を通すように引き回して配置することができる。
この構成によれば、アンテナを搭載した第１基板をより化粧板に近い位置で安定的に保持すると共に、下方側ケース体の内部において上方側ケース体によって閉塞した状態で第２基板を保持し得る構成をより簡易に実現でき、更に組み付け作業の容易化をも図ることができる。特に、上方側底壁部の下面側には、連通孔の内壁に連続する形態又は連通孔の内壁に隣接する形態で連通孔の下方に延びる案内壁が設けられているため、ケーブルが接続された第２基板を下方側ケース体に収容した状態で当該ケーブルを上方側に引き回す際にケーブルの一端側（第２基板に接続される側とは反対側）を案内壁に沿って移動させながら連通孔内にスムーズに案内できるため、ケーブルを連通孔内に挿し通す作業を行う際に手間取ることがなく、より簡易に且つ短時間で引き回し作業を行うことができる。
【００１２】
請求項２の発明では、ガイド部において、案内壁と、案内壁の幅方向両側において上下に延びるように配される一対の側壁と、案内壁と対向して配置される対向壁とが設けられており、案内壁と一対の側壁と対向壁とによって案内孔が構成され、案内孔が連通孔と連通している。
この構成によれば、ケーブルの先端側（一端側）を案内壁によって案内する際に、ケーブルの両側部を一対の側壁部によってガイドしながら案内することができるため、ケーブルを連通孔に挿し通す際に連通孔付近でケーブルが幅方向に外れてしまうようなことが起こりにくくなる。また、案内壁と対向壁の間を通すように案内することができるため、ケーブルを案内壁に沿わせて案内する際に連通孔付近でケーブルが案内壁から大きく離れてしまうことがなくなる。
更に、案内壁及び一対の側壁は、いずれも下端部が対向壁の下端部よりも下方位置となるように対向壁よりも上下に長く構成され、案内孔は、案内壁及び一対の側壁の下端部よりも下方側に開放すると共に、対向壁の下端部よりも下方側において一対の側壁の間が開放するように構成されている。この構成によれば、ケーブルの先端側をガイド部の案内孔に導入する際に、案内孔の真下からの挿入に限定されず、対向壁の下端部の下方側において一対の側壁の間に設けられた開放部を利用して横から導き入れることも可能となる。このように下方側に延びるケーブルの先端部を横から導き入れた場合、案内壁に当接させて、そのまま案内壁に沿って移動させれば容易に連通孔内に誘導することができるため、より挿入作業、引き回し作業を行いやすくなる。
【００１３】
請求項３の発明では、第２基板の上面側に、ケーブルを当該第２基板に接続する接続部が設けられており、案内壁の下端部は、上方側底壁部と第２基板との間において接続部寄りに設けられている。
このように案内壁の下端部を第２基板に設けられた接続部に近づけるように配置すると、連通孔を介して下方側ケース体の内部の様子を視認しようとしても内部の様子が把握し難くなるため、下方側ケース体の内部構成が第三者により把握され難くなり、セキュリティ性を一層高めることができる。
【００１４】
請求項４の発明では、上方側底壁部は、非透明部材によって構成されている。
このように上方側底壁部を非透明部材によって構成すると、上方側ケース体が下方側ケース体に組み付けられているときに上方側から下方側ケース体の内部を視認することが難しくなるため、第三者による内部構成の把握を困難としてセキュリティ性を高めることができる。一方、このように上方側底壁部を非透明部材によって構成すると、ケーブルを連通孔内に挿し通す引き回し作業を行う際にケーブルの先端部と連通孔の位置関係を把握することがより困難となるが、本発明のようにガイド部を設けてケーブルを連通孔内に案内する構成とすれば、ケーブルの先端部と連通孔の位置関係を緻密に把握せずともケーブルを連通孔内に容易に挿し通すことができる。
【００１５】
請求項５の発明では、ガイド部が非透明部材によって構成されている。
このように、上方側底壁部だけでなくガイド部材についても非透明部材によって構成することで、上方側ケース体が下方側ケース体に組み付けられているときに連通孔を介した内部の覗き見が困難となり、第三者による内部構成の把握をより一層困難とすることができる。
【００１６】
請求項６の発明では、第２基板において、アンテナに電気的に接続される制御回路が搭載されている。このように第２基板に制御回路を搭載し、アンテナを搭載した第１基板から配置すれば、アンテナでの送受信に制御回路の影響が及び難くなり、通信性をより高めることができる。また、制御回路を下方側ケース体の内部に収容しておくことができるため、制御回路及びこれに関連する部品を第三者に把握されにくくすることができる。
【００１７】
請求項７の発明では、下方側ケース体は、第２基板の厚さ方向を上下方向としたときの当該上下方向と直交する所定方向において第１側壁部と第２側壁部とが対向して配置され、これら側壁部の下端部側に下方側底壁部が連結されている。更に、第２基板の上面側には、所定方向における第１側壁部側に寄った位置にケーブルを第２基板に接続する接続する接続部が設けられ、案内壁は、所定方向において連通孔よりも第２側壁部側に配置されている。
このように構成すると、ケーブルを片側に寄せて効率的に配置できるようになり、更に案内壁が所定方向において連通孔よりも第２側壁部側に配置されているため、ケーブルを連通孔内に引き回す作業を行う際に、広いスペース側（ケーブルが寄った側とは反対側）からガイド部をケーブルに近づければ当該ケーブルを案内壁における連通孔側の壁面に容易に当接させることができ、当該壁面に沿って移動させればケーブルの先端部を容易に連通孔内に挿入することができる。
【００１８】
請求項８の発明では、下方側ケース体は、第２基板の厚さ方向を上下方向としたときの当該上下方向と直交する所定方向において第１側壁部と第２側壁部とが対向して配置され、これら側壁部の下方側に下方側底壁部が連結されており、第２基板の上面側には、所定方向における第１側壁部側に寄った位置にケーブルを第２基板に接続する接続する接続部が設けられている。また、接続部は、第２基板の上面側から上方に突出するように固定されると共に上方側に開口するように形成され、且つケーブルが上方側から開口内に挿し込まれるように構成されるコネクタからなり、このコネクタには、当該コネクタの開口内にケーブルが挿し込まれたときにケーブルよりも第２側壁部側においてコネクタの内壁とケーブルとの間に上方側から押し込まれる固定部材が装着されるようになっている。そして、案内壁は、所定方向において連通孔よりも第２側壁部側に配置されている。
この構成では、ケーブルを第２基板に着脱可能に接続することができ、コネクタに挿し込まれたケーブルを固定部材によって安定的に固定することができる。一方、このように構成すると、固定部材を押し込んで固定したときに、固定部材側にケーブルが傾倒してしまい、ケーブルの先端側を連通孔内に挿し込みにくくなることが懸念されるが、案内壁が設けられているため、このような弊害が生じ難くなる。また、案内壁が所定方向において連通孔よりも第２側壁部側に配置されているため、ケーブルを連通孔内に引き回す作業を行う際に、ケーブルが傾倒する側からガイド部をケーブルに近づければ当該ケーブルを案内壁における連通孔側の壁面に容易に当接させることができ、当該壁面に沿って移動させればケーブルの先端部を容易に連通孔内に挿入することができる。
【００１９】
請求項９の構成によれば、請求項１と同様の効果を奏する組付構造を実現できる。
【図面の簡単な説明】
【００２０】
【図１】図１は、本発明の第１実施形態に係る非接触通信端末を概略的に示す平面図である。
【図２】図２は、図１の非接触通信端末の概略断面図である。
【図３】図３は、図１の非接触通信端末のガイド部を概略的に示す斜視図である。
【図４】図４は、図１の非接触通信端末の組み付け作業の一工程を示す説明図であり、図４（Ａ）は、下方側ケース体に収容された第２基板にケーブルが挿し込まれた様子を示す説明図であり、図４（Ｂ）は、図４（Ａ）の状態から固定部材がコネクタ内に押し込まれてケーブルが固定された状態を示す説明図である。
【図５】図５は、図４（Ｂ）のように収容された下方側ケース体に上方側ケース体、被覆板を組み付ける様子を説明する説明図である。
【図６】図６は、図２に示す非接触通信端末から被覆板を取り外し、連通孔を介して視認しようとしたときの様子を説明する説明図である。
【図７】図７は、本願発明の比較対象となる非接触通信端末の組み付けの様子を説明する説明図である。
【図８】図８は、本願発明の比較対象となる非接触通信端末の概略断面図である。
【発明を実施するための形態】
【００２１】
[第１実施形態]
以下、本発明の第１実施形態について図面を参照しつつ説明する。
（全体構成）
まず、第１実施形態に係る非接触通信端末の全体構成について図１〜図３等を参照して説明する。図１は、本発明の第１実施形態に係る非接触通信端末を概略的に示す平面図である。図２は、図１の非接触通信端末の概略断面図である。図３は、図１の非接触通信端末のガイド部を概略的に示す斜視図である。
【００２２】
第１実施形態に係る非接触通信端末１は、ＩＣカード等の非接触通信媒体と電磁波を媒介とした非接触通信を行い、当該非接触通信媒体からの情報の読み取り、或いは非接触通信媒体に対する情報の書き込み等を行うように構成されている。以下では、非接触通信端末１が決済端末として機能するＩＣカードリーダとして構成される場合について説明する。
【００２３】
非接触通信端末１は、図１〜図３に示すように、主として、第１基板４と、第２基板５と、これらを接続するケーブル７と、これら部品を収容する収容ケース１０とを備えている。
【００２４】
第１基板４は、例えば樹脂製の基板として構成されており、例えばループアンテナとして構成されるアンテナ２を上面側に搭載すると共に、一方面（上面）が上方側に面し他方面（下面）が下方側に面するように配置されている。
【００２５】
第２基板５は、例えば樹脂製の基板として構成されており、例えば、ＣＰＵやマイコンなどからなる制御回路５０を上面側に搭載した構成をなしている。この第２基板５は、第１基板４の下方に配置され、一方面（上面）が上方側に面し他方面（下面）が下方側に面するように配置されている。
【００２６】
収容ケース１０は、主として上方側ケース体１１と、下方側ケース体１２と、被覆板２０とによって構成されている。
上方側ケース体１１は、第１基板４を収容するように箱状に構成され、第１基板４の下方面側に対向する上方側底壁部１３と、この上方側底壁部１３から立ち上がり、第１基板４の周囲を取り囲むように配置される側壁部１１ａ、１１ｂ、１１ｃ、１１ｄを備えている。上方側ケース体１１の上方側底壁部１３及び側壁部１１ａ、１１ｂ、１１ｃ、１１ｄはいずれも非透明な樹脂部材によって一体的に構成されている。
【００２７】
下方側ケース体１２は、上方側ケース体１１の下方において第２基板５を収容するように箱状に構成され、第２基板５の下方面側に対向する下方側底壁部１４と、この下方側底壁部１４から立ち上がり、第２基板５の周囲を取り囲むように配置される側壁部を備えている。下方側ケース体１２の下方側底壁部１４及びいずれの側壁部も非透明な樹脂部材によって一体的に構成されている。本実施形態では、第２基板５の厚さ方向を上下方向としており、下方側ケース体１２は、この上下方向と直交する所定方向において第１側壁部１２ａと第２側壁部１２ｂとが対向して配置され、これら側壁部の下端部側に下方側底壁部１４が連結されている。なお、上記上下方向及び所定方向と直交する方向において図示しない一対の側壁部が対向して配置されており、これら一対の側壁部と上記第１側壁部１２ａ及び第２側壁部１２ｂによって第２基板５の四方が取り囲まれるようになっている。
【００２８】
被覆板２０は、化粧板として板状に構成され、箱状に構成された上方側ケース体１１の上方側を閉塞するように構成されている。この被覆板２０も非透明な樹脂部材によって構成されている。
【００２９】
ケーブル５は、例えばフレキシブルフラットケーブル（ＦＦＣ：Flexible Flat Cable）として構成されており、第１基板４と第２基板５とを電気的に接続するように機能している。ケーブル５は、下方側ケース体１２の内部では、第１側壁部１２ａと第２側壁部１２ｂとが対向する方向を厚さ方向とするように配置され、一方面７ｃが第１側壁部１２ａ側に面し、他方面７ｄが第２側壁部１２ｄ側に面するように配置されている。
【００３０】
更に、図２に示すように、上方側ケース体１１の上方側底壁部１３には当該上方側底壁部１３の厚さ方向に連通する連通孔１３ａが形成されている。そして、ケーブル７は、連通孔１３ａ内に挿し通されると共に、一端側（図３に示す先端部７ａ側）が第１基板４に接続されるようになっており、他端側が第２基板５に接続される構成で配置されている。そして、上方側底壁部１３の下面側には、連通孔１３ａの内壁に連続する形態又は連通孔１３ａの内壁に隣接する形態で連通孔１３ａの下方に延びる案内壁３１を備えたガイド部３０が設けられている。なお、連通孔１３ａの内壁に連続する形態とは、例えば連通孔１３ａと案内壁３１とが同一材料で一体的に構成され、連通孔１３ａの内壁面と案内壁３１の壁面が連続（例えば段差無く連続）している構成を意味している。また、連通孔１３ａの内壁に隣接する形態とは、連通孔１３ａの内壁と案内壁３１が別部材として構成され、互いに密着或いはわずかな距離を隔てて近接している構成を意味している。
【００３１】
ガイド部３０には、案内壁３１と、案内壁３１の幅方向両側において上下に延びるように配される一対の側壁３３，３４と、案内壁３１と対向して配置される対向壁３２とが設けられている。そして、案内壁３１と一対の側壁３３，３４と対向壁３２とによって案内孔３５が構成され、この案内孔３５が連通孔１３ａと連通している。
【００３２】
更に、図３のように、案内壁３１及び一対の側壁３３，３４は、いずれも下端部３３ａ，３４ａが対向壁３２の下端部３２ａよりも下方位置となるように対向壁３２よりも上下に長く構成され、案内孔３５は、案内壁３１及び一対の側壁３３，３４の下端部３１ａ，３３ａ，３４ａよりも下方側に開放すると共に、対向壁３２の下端部３２ａよりも下方側において一対の側壁３３，３４の間が開放するように構成されている。
【００３３】
また、図２に示すように、第２基板５の上面側には、ケーブル７を当該第２基板５に接続するコネクタ４０が設けられている。このコネクタ４０は、第２基板５の上面側において、所定方向（第１側壁部１２ａと第２側壁部１２ｂの対向方向）における第１側壁部１２ａ側に寄った位置に配置されている。そして、案内壁３１の下端部は、上方側底壁部１３と第２基板５との間においてコネクタ４０寄りに（具体的にはコネクタ４０の上端部に近接した構成で）設けられている。
【００３４】
コネクタ４０は、第２基板５の上面側から上方に突出するように固定されると共に上方側に開口するように形成され、且つケーブル７が上方側から開口内に挿し込まれるように構成されている。このコネクタ４０には、当該コネクタ４０の開口内にケーブル７が挿し込まれたときにケーブル７よりも第２側壁部１２ｂ側においてコネクタ４０の内壁とケーブル７との間に上方側から押し込まれる固定部材４２が装着されるようになっている（図４（Ａ）（Ｂ）参照）。そして、案内壁３１は、所定方向（第１側壁部１２ａと第２側壁部１２ｂとが対向する方向であって、収容ケース１０を平面視したときの短手方向）において連通孔１３ａよりも第２側壁部１２ｂ側に配置されている。
【００３５】
上述の非接触通信端末１で採用される組付構造では、図４（Ｂ）のように下方側ケース体１２に第２基板５を収容すると共に第２基板５の基板面（具体的には上面）にケーブル７の一端側を接続し他端側を非接続とした状態で上方側ケース体１１を下方側ケース体１２に組み付けることができる。そして、このように上方側ケース体１１を下方側ケース体１２に組み付ける際には、図５のように、非接続とされたケーブル７の他端側を案内壁３１に沿って上方側に移動させることで連通孔１３ａ内に容易に案内することができる。更に、連通孔１３ａと第１基板４の貫通孔４ａとが連通しており、連通孔１３ａ内に挿し通されたケーブル７の他端側については、貫通孔４ａ内に挿し通して第１基板４の上方側に配策することができるようになっている。そして、このようにして第１基板４の上面側に引き回されたケーブル７の他端側を図６のように第１基板４の上面側に接続することで、第１基板４と第２基板５とがケーブル７を介して電気的に接続されることとなる。
【００３６】
（第１実施形態の主な効果）
第１実施形態に係る非接触通信装置１では、第１基板４を収容・保持する上方側ケース体１１の上方側底壁部１３に当該上方側底壁部１３の厚さ方向に連通する連通孔１３ａが形成されている。さらに、ケーブル７は、連通孔１３ａ内に挿し通されると共に、一端側が第１基板４に接続され、他端側が第２基板５に接続される構成で配置されている。そして、上方側底壁部１３の下面側には、連通孔１３ａの内壁に連続する形態又は連通孔１３ａの内壁に隣接する形態で連通孔１３ａの下方に延びる案内壁３１を備えたガイド部３０が設けられている。
このように構成されているため、製造時やメンテナンス時などにおいて、基板や各ケース体を組付ける際に、図４（Ｂ）のようにケーブル７の他端側が接続された第２基板５を下方側ケース体１２に収容した状態で、図５のようにこの下方側ケース体１２を閉塞するように第１基板４を保持する上方側ケース体１１を組み付けることができ、その組み付けの際には、第２基板５に他端側が接続されたケーブル７を、先端側（一端側）から上方側底壁部１３の連通孔１３ａ内を通すように引き回して配置することができる。
この構成によれば、アンテナ２を搭載した第１基板４をより化粧板に近い位置で安定的に保持すると共に、下方側ケース体１２の内部において上方側ケース体１１によって閉塞した状態で第２基板５を保持し得る構成をより簡易に実現でき、更に組み付け作業の容易化をも図ることができる。特に、上方側底壁部１３の下面側には、連通孔１３ａの内壁に連続する形態又は連通孔１３ａの内壁に隣接する形態で連通孔１３ａの下方に延びる案内壁３１が設けられているため、ケーブル７が接続された第２基板５を下方側ケース体１２に収容した状態で当該ケーブル７を上方側に引き回す際にケーブル７の一端側（第２基板５に接続される側とは反対側）を案内壁３１に沿って移動させながら連通孔１３ａ内にスムーズに案内できるため、ケーブル７を連通孔１３ａ内に挿し通す作業を行う際に手間取ることがなく、より簡易に且つ短時間で引き回し作業を行うことができる。
【００３７】
また、ガイド部３０には、案内壁３１と、案内壁３１の幅方向両側において上下に延びるように配される一対の側壁３３，３４と、案内壁３１と対向して配置される対向壁３２とが設けられており、案内壁３１と一対の側壁３３，３４と対向壁３２とによって案内孔が構成され、案内孔が連通孔１３ａと連通している。
この構成によれば、ケーブル７の先端側（一端側）を案内壁３１によって案内する際に、図３のようにケーブル７の両側部を一対の側壁３３，３４部によってガイドしながら案内することができるため、ケーブル７を連通孔１３ａに挿し通す際に連通孔１３ａ付近でケーブル７が幅方向に外れてしまうようなことが起こりにくくなる。また、案内壁３１と対向壁３２の間を通すように案内することができるため、ケーブル７を案内壁３１に沿わせて案内する際に連通孔１３ａ付近でケーブル７が案内壁３１から大きく離れてしまうことがなくなる。
更に、案内壁３１及び一対の側壁３３，３４は、いずれも下端部が対向壁３２の下端部よりも下方位置となるように対向壁３２よりも上下に長く構成され、連通孔１３ａは、案内壁３１及び一対の側壁３３，３４の下端部よりも下方側に開放すると共に、対向壁３２の下端部よりも下方側において一対の側壁３３，３４の間が開放するように構成されている。この構成によれば、ケーブル７の先端側をガイド部３０の案内孔に導入する際に、案内孔の真下からの挿入に限定されず、対向壁３２の下端部の下方側において一対の側壁３３，３４の間に設けられた開放部を利用して横から導き入れることも可能となる。このように下方側に延びるケーブル７の先端部を横から導き入れた場合、案内壁３１に当接させて、そのまま案内壁３１に沿って移動させれば容易に連通孔１３ａ内に誘導することができるため、より挿入作業、引き回し作業を行いやすくなる。
【００３８】
また、第２基板５の上面側に、ケーブル７を当該第２基板５に接続するコネクタ４０が設けられており、案内壁３１の下端部は、上方側底壁部１３と第２基板５との間においてコネクタ４０寄りに設けられている。
このように案内壁３１の下端部を第２基板５に設けられたコネクタ４０に近づけるように配置すると、図６のように連通孔１３ａを介して下方側ケース体１２の内部の様子を視認しようとしても内部の様子が把握し難くなるため、下方側ケース体１２の内部構成が第三者により把握され難くなり、セキュリティ性を一層高めることができる。
【００３９】
また、上方側底壁部１３は、非透明部材によって構成されている。このように上方側底壁部１３を非透明部材によって構成すると、上方側ケース体１１が下方側ケース体１２に組み付けられているときに上方側から下方側ケース体１２の内部を視認することが難しくなるため、第三者による内部構成の把握を困難としてセキュリティ性を高めることができる。一方、このように上方側底壁部１３を非透明部材によって構成すると、ケーブル７を連通孔１３ａ内に挿し通す引き回し作業を行う際にケーブル７の先端部と連通孔１３ａの位置関係を把握することがより困難となるが、本発明のようにガイド部３０を設けてケーブル７を連通孔１３ａ内に案内する構成とすれば、ケーブル７の先端部と連通孔１３ａの位置関係を緻密に把握せずともケーブル７を連通孔１３ａ内に容易に挿し通すことができる。
【００４０】
また、ガイド部３０についても非透明部材によって構成されているため、上方側ケース体１１が下方側ケース体１２に組み付けられているときに連通孔１３ａを介した内部の覗き見が困難となり、第三者による内部構成の把握をより一層困難とすることができる。
【００４１】
また、第２基板５において、アンテナ２に電気的に接続される制御回路５０が搭載されている。このように第２基板５に制御回路５０を搭載し、アンテナ２を搭載した第１基板４から配置すれば、アンテナ２での送受信に制御回路５０の影響が及び難くなり、通信性をより高めることができる。また、制御回路５０を下方側ケース体１２の内部に収容しておくことができるため、制御回路５０及びこれに関連する部品を第三者に把握されにくくすることができる。
【００４２】
また、下方側ケース体１２は、第２基板５の厚さ方向を上下方向としたときの当該上下方向と直交する所定方向において第１側壁部１２ａと第２側壁部１２ｂとが対向して配置され、これら側壁部の下端部側に下方側底壁部１４が連結されている。更に、第２基板５の上面側には、所定方向における第１側壁部１２ａ側に寄った位置にケーブル７を第２基板５に接続する接続するコネクタ４０が設けられ、案内壁３１は、所定方向において連通孔１３ａよりも第２側壁部１２ｂ側に配置されている。
このように構成すると、ケーブル７を片側に寄せて効率的に配置できるようになり、更に案内壁３１が所定方向において連通孔１３ａよりも第２側壁部１２ｂ側に配置されているため、図５のようにケーブル７を連通孔１３ａ内に引き回す作業を行う際に、広いスペース側（ケーブル７が寄った側とは反対側）からガイド部３０をケーブル７に近づければ当該ケーブル７を案内壁３１における連通孔１３ａ側の壁面に容易に当接させることができ、当該壁面に沿って移動させればケーブル７の先端部を容易に連通孔１３ａ内に挿入することができる。
【００４３】
また、第２基板５の上面側には、所定方向における第１側壁部１２ａ側に寄った位置にケーブル７を第２基板５に接続する接続するコネクタ４０が設けられている。また、図４（Ａ）のように、コネクタ４０は、第２基板５の上面側から上方に突出するように固定されると共に上方側に開口するように形成され、且つケーブル７が上方側から開口内に挿し込まれるように構成されており、更に、図４（Ｂ）のように、このコネクタ４０には、当該コネクタ４０の開口内にケーブル７が挿し込まれたときにケーブル７よりも第２側壁部１２ｂ側においてコネクタの内壁とケーブル７との間に上方側から押し込まれる固定部材４２が装着されるようになっている。そして、案内壁３１は、所定方向において連通孔１３ａよりも第２側壁部１２ｂ側に配置されている。
この構成では、ケーブル７を第２基板５に着脱可能に接続することができ、コネクタに挿し込まれたケーブル７を固定部材４２によって安定的に固定することができる。一方、このように構成すると、図４（Ｂ）のように固定部材４２を押し込んで固定したときに、固定部材４２側にケーブル７が傾倒してしまい、ケーブル７の先端側を連通孔１３ａ内に挿し込みにくくなることが懸念されるが、本実施形態では案内壁３１が設けられているため、このような弊害が生じ難くなる。また、案内壁３１が所定方向において連通孔１３ａよりも第２側壁部１２ｂ側に配置されているため、ケーブル７を連通孔１３ａ内に引き回す作業を行う際に、ケーブル７が傾倒する側からガイド部３０をケーブル７に近づければ当該ケーブル７を案内壁３１における連通孔１３ａ側の壁面に容易に当接させることができ、当該壁面に沿って移動させればケーブル７の先端部を容易に連通孔１３ａ内に挿入することができる。
【００４４】
［他の実施形態]
本発明は上記記述及び図面によって説明した実施形態に限定されるものではなく、例えば次のような実施形態も本発明の技術的範囲に含まれる。
【００４５】
上記実施形態では、ケーブル７の一例としてＦＦＣケーブルを例示したが、ケーブルの種類はこれに限定されるものではなく、公知の他の種類のケーブルであってもよい。
【００４６】
上記実施形態では、第２基板にＣＰＵやマイコンなどが搭載される例を示したが、送信回路や受信回路が第２基板に搭載されていてもよい。また、半導体メモリや外部装置との通信インターフェースなどが第２基板に搭載されていてもよい。
【符号の説明】
【００４７】
１…非接触通信端末
２…アンテナ
４…第１基板
５…第２基板
７…ケーブル
１０…収容ケース
１１…上方側ケース体
１２…下方側ケース体
１２ａ…第１側壁部
１２ｂ…第２側壁部
１３…上方側底壁部
１３ａ…連通孔
１４…下方側底壁部
２０…被覆板
３０…ガイド部
３１…案内壁
３１…案内壁の下端部
３２…対向壁
３２ａ…対向壁の下端部
３３，３４…側壁
３３ａ，３４ａ…側壁の下端部
４０…コネクタ（接続部）
４２…固定部材
５０…制御回路
【図１】
2013050808.tif 000003
【図２】
2013050808.tif 000004
【図３】
2013050808.tif 000005
【図４】
2013050808.tif 000006
【図５】
2013050808.tif 000007
【図６】
2013050808.tif 000008
【図７】
2013050808.tif 000009
【図８】
2013050808.tif 000010